(57)【要約】【課題】  少なくとも１つのスポット領域には蛍光標識体で標識された物質が分布している複数のスポット領域から、ノイズの少ない２次元蛍光画像を取得する。【解決手段】  遮光プレート３０は、遮光材料から形成され、マイクロタイタープレート１０のウェル（スポット領域）１２と対応する位置に開口部３１が設けられ各開口部３１がプレート１０の各ウェル１２と対応して位置するように配置されている。面状光源２０から励起光Ｌが射出され、プレート１０に下方から照射される。励起光Ｌは遮光プレート３０の開口部３１を通り、各ウェル１２が配置されている領域のみに照射される。このため、マイクロタイタープレート１０自体から発せられる蛍光は低減する。ウェル１２の蛍光標識体から発せられた蛍光は、励起光カットフィルタ２４を透過し、レンズ２５によりＣＣＤ２６へ集光され、ＣＣＤ２６により２次元蛍光画像が撮像される。【選択図】          図１
2005274355.tif 000002
【特許請求の範囲】
【請求項１】
面状の励起光を発する面状光源と、前記励起光が照射可能な位置に配置され、複数のスポット領域が設定され、少なくとも１つの前記スポット領域には蛍光標識体で標識された物質が分布している支持体と、該支持体に対して、前記面状光源とは反対側に配置され、前記励起光が照射された前記複数のスポット領域の２次元画像を取得する２次元画像取得手段とを備えた蛍光画像取得装置において、
前記支持体と前記面状光源の間に、前記各スポット領域と個々に対応する位置に開口部を有する遮光プレートが配設されていることを特徴とする蛍光画像取得装置。
【請求項２】
前記２次元画像取得手段と前記支持体との間に、前記各スポット領域と個々に対応する位置に開口部を有する遮光プレートが配設されていることを特徴とする請求項１記載の蛍光画像取得装置。
【請求項３】
前記支持体がプラスチックから形成されていることを特徴とする請求項１または２記載の蛍光画像取得装置。
【発明の詳細な説明】
【技術分野】
【０００１】
本発明は蛍光画像取得装置に関し、特に詳細には、複数のスポット領域が設定され、少なくとも１つの前記スポット領域には蛍光標識体で標識された物質が分布している支持体の２次元画像を取得する蛍光画像取得装置に関するものである。
【背景技術】
【０００２】
生化学・分子生物学分野においては、複数のスポット領域が設定され、少なくとも１つのスポット領域には蛍光標識体で標識された物質が分布している支持体、例えば蛍光標識体で標識された被検査物質が収容されているウェル（スポット領域）を有するマイクロタイタープレート等に、励起光を照射し、マイクロタイタープレートの２次元画像を取得する蛍光画像取得装置が知られている（例えば特許文献１参照）。取得された２次元画像に基づいて、各スポット領域から発せられる蛍光の有無や蛍光強度等の蛍光情報が抽出され、被検査物質の特性分析等に使用されている。
【０００３】
また、この特許文献１に記載された装置では、マイクロタイタープレートの下方から励起光を照射し、上方に配置されたＣＣＤにより、マイクロタイタープレートの２次元画像を取得している。
【特許文献１】特開２０００−７４８３７号公報
【発明の開示】
【発明が解決しようとする課題】
【０００４】
しかしながら、上記マイクロタイタープレート等の支持体の中には、励起光が照射されると支持体自体が蛍光を発するものがあり、その場合には支持体から発せられた蛍光により、スポット領域の２次元画像のノイズが増加するという問題がある。
【０００５】
本発明は、上記事情に鑑み、ノイズの少ないスポット領域の２次元画像を取得可能な蛍光画像取得装置を提供することを目的とするものである。
【課題を解決するための手段】
【０００６】
本発明の蛍光画像取得装置は、面状の励起光を発する面状光源と、前記励起光が照射可能な位置に配置され、複数のスポット領域が設定され、少なくとも１つの前記スポット領域には蛍光標識体で標識された物質が分布している支持体と、該支持体に対して、前記面状光源とは反対側に配置され、前記励起光が照射された前記複数のスポット領域の２次元画像を取得する２次元画像取得手段とを備えた蛍光画像取得装置において、
前記支持体と前記面状光源の間に、前記各スポット領域と個々に対応する位置に開口部を有する遮光プレートが配設されていることを特徴とするものである。
【０００７】
なお、励起光の波長は、蛍光標識体に使用されている蛍光を励起可能な波長である。また、複数のスポット領域の中の少なくとも１つのスポット領域には蛍光標識体で標識された物質が分布しているため、取得した２次元画像には、少なくとも１つスポット領域の蛍光画像が含まれている。
【０００８】
なお、「面状光源」とは面状の励起光を発するものであればいかなる形状の光源であってもよい。具体的には、多数のLED素子あるいはEL素子を２次元状に並べた光源、光源が接続された側面照射ファイバを多数並べた光源、EL層を面状に配設した光源、あるいはハロゲンランプ等を挙げることができる。
【０００９】
また、前記２次元画像取得手段と前記支持体との間に、前記各スポット領域と個々に対応する位置に開口部を有する遮光プレートが配設されていてもよい。
【００１０】
前記支持体は、プラスチックから形成されているものであってもよい。
【発明の効果】
【００１１】
本発明の蛍光画像取得装置は、面状の励起光を発する面状光源と、励起光が照射可能な位置に配置され、複数のスポット領域が設定され、少なくとも１つの前記スポット領域には蛍光標識体で標識された物質が分布している支持体と、該支持体に対して、面状光源とは反対側に配置され、励起光が照射された複数のスポット領域の２次元画像を取得する２次元画像取得手段とを備えた蛍光画像取得装置において、支持体と面状光源の間に、各スポット領域と個々に対応する位置に開口部を有する遮光プレートが配設されているため、励起光は主に各スポット領域に照射され、スポット領域以外の領域には照射される照射量は少なくなるので、支持体自体から発せられる蛍光は低減され、ノイズの少ないスポット領域の２次元画像を取得することができる。
【００１２】
また、２次元画像取得手段と支持体との間に、各スポット領域と個々に対応する位置に開口部を有する遮光プレートが配設されている場合には、支持体と面状光源の間に配設された遮光プレートの開口部から入射した励起光が、スポット領域以外の領域に漏れ、スポット領域以外の領域から蛍光が発せられた場合であっても、このような蛍光は２次元画像取得手段と支持体との間に配設された遮光プレートにより、遮光されるので、さらにノイズの少ないスポット領域の２次元画像を取得することができる。
【００１３】
また、支持体がプラスチックから形成されているものであれば、安価に支持体を作成することができる。
【発明を実施するための最良の形態】
【００１４】
以下、本発明の蛍光画像取得装置の実施の形態について、図面を用いて説明する。図１は、本発明の第１の実施の形態である蛍光画像取得装置１の概略構成図、図２は蛍光画像取得装置１に使用されるマイクロタイタープレートを示す斜視図である。
【００１５】
図２に示すようにマイクロタイタープレート１０は、本発明の支持体として機能するものであり、無色透明のプラスチック材料により形成され、被検査物質１１を収容する多数のウェル１２が設けられている。各ウェル１２に収容されている被検査物質１１は、すべてが同一のものであるわけではなく、例えば所定の励起光を受けて蛍光を発する蛍光標識体により標識されているものと標識されていないものとがあり、蛍光観察の対象となるものである。
【００１６】
蛍光画像取得装置は、上記マイクロタイタープレート１０の下方からこのマイクロタイタープレート１０へ向けて、上述した蛍光標識体を励起して蛍光を発光せしめる波長を有する励起光Ｌを射出する面状光源２０と、マイクロタイタープレート１０の上面に配設され、このマイクロタイタープレート１０の全面の２次元画像を一時に取得しうる２次元画像取得手段であるＣＣＤ２６と、マイクロタイタープレート１０と面状光源２０との間であって、マイクロタイタープレート１０に近接した位置に設けられた遮光プレート３０と、マイクロタイタープレート１０とＣＣＤ２６との間に設けられた励起光Ｌの波長以下の光を透過せず、励起光Ｌより長波長側の光のみを透過する励起光カットフィルタ２４と、該励起光カットフィルタ２４とＣＣＤ２６との間に設けられたレンズ２５と、ＣＣＤ２６に接続された画像処理部２７とを備えている。画像処理部２７には、表示部２８が接続されている。
【００１７】
ＣＣＤ２６は、２次元状に撮像素子が配列された冷却ＣＣＤである。レンズ２５はフレネルレンズであり、マイクロタイタープレート１０のウェル１２から発せられた蛍光は、レンズ２５およびＣＣＤ２６に設けられている不図示の撮影レンズによりＣＣＤ２６の撮像面に集光される。
【００１８】
面状光源２０は、多数のLEDが２次元状に配置されたものである。なお、面状光源２０は、励起光Ｌを射出するものであればいかなる構成のものであってもよい。励起光Ｌの波長は、非検査物質１１を標識する蛍光標識体の種類に応じて、適宜選択できることが好ましい。このため、例えば面状光源を副数種類準備し、蛍光標識体の種類に応じて面状光源そのものを交換してもよい。あるいは、複数種類の波長で発光するLEDを交互に配置し、適宜所望の波長の光を発するLEDのみを発光させることにより、励起光の波長を選択してもよい。
【００１９】
また、ハロゲンランプあるいは白色LED等の白色光源と、複数枚の分光フィルタとを組み合わせて面状光源を構成し、分光フィルタを適宜交換することにより、励起光Ｌの波長帯域を切り替えてもよい。
【００２０】
遮光プレート３０は、遮光材料から形成され、図３に示すように、マイクロタイタープレート１０のウェル１２と対応する位置に開口部３１が設けられている。なお、各開口部３１は、ウェル１２の平面形状と同形状、あるいはウェル１２の平面形状より小さい形状になるように形成され、ウェル１２と１対1で対応している。なお、遮光プレート３０は、各開口部３１がマイクロタイタープレート１０のウェル１２と対応して位置するように配置されている。
【００２１】
次に本実施形態の蛍光画像取得装置の作用について説明する。まず蛍光観察の対象となる被検査物質１１が各ウェル１２に収容されたマイクロタイタープレート１０が、図１に示すように、所定の位置にセットされる。なお、少なくとも１つのウェル１２に収容されている被検査物質１１は、蛍光標識体により標識されている。面状光源２０から励起光Ｌが射出され、マイクロタイタープレート１０に下方から照射される。この際、マイクロタイタープレート１０と面状光源２０との間には遮光プレート３０が配設されているため、励起光Ｌは遮光プレート３０の開口部３１を通り、各ウェル１２が配置されている領域のみに照射される。
【００２２】
励起光Ｌは、マイクロタイタープレート１０の各ウェル１２に収容された被検査物質１１を照射するが、各被検査物質１１のうち、所定の前処理により蛍光標識体で標識された被検査物質１１は、照射された励起光Ｌにより励起されて蛍光を発する。一方、蛍光体で標識されていない被検査物質１１は励起光Ｌが照射されても蛍光を発することはない。
【００２３】
ウェル１２内の蛍光標識体から発せられた蛍光は、励起光カットフィルタ２４を透過し、レンズ２５で屈折され、ＣＣＤ２６に入射する。ＣＣＤ２６により蛍光が光電的に検出される。各ウェル１２からは、励起光Ｌも出射するが、励起光カットフィルタ２４によりカットされるためＣＣＤ２６に入射することはない。
【００２４】
ＣＣＤ２６により撮像された２次元画像は、画像処理部２７により、画像処理が施され、表示部２８に表示される。全ウェル１２のうち蛍光が発せられたウェル１２に対応する像のみが、画像上に明るく表示される。また、画像処理部２７において、各ウェル１２から発せられた蛍光の光強度を数値化し、画像とともに表示してもよい。また、例えば面状光源２０から射出される励起光Ｌの光強度が均一でない場合であっても、各ウェル１２の被検査物質１１に標識された蛍光標識体の量を精度よく検出するために、予め励起光Ｌの光強度分布データを取得し、この分布データを用いて、各ウェル１２から発せられた蛍光の光強度を補正した上で数値化してもよい。なお、マイクロタイタープレート１０の下側に、遮光プレート３０が配設されたことにより、マイクロタイタープレート１０のウェル１２以外の領域には励起光Ｌが入射しないため、マイクロタイタープレート１０自体から発せられる蛍光は低減されている。
【００２５】
以上の説明で明らかなように、本実施の形態における蛍光画像取得装置１は、マイクロタイタープレート１０と面状光源２０との間に、マイクロタイタープレート１０のウェル１２と個々に対応する位置に開口部３１を有する遮光プレート３０が配設されているため、励起光Ｌは、主に各ウェル１２が形成されている領域に照射され、ウェル１２が形成されている領域以外の領域に照射される照射量は少なくなるので、マイクロタイタープレート１０自体から発せられる蛍光は低減され、ノイズの少ないウェル１２が形成されている領域の２次元画像を取得することができる。
【００２６】
また、マイクロタイタープレート１０がプラスチックから形成されているため、安価にマイクロタイタープレート１０を作成することができる。なお、プラスチックは励起光が照射されると蛍光を発する場合があるが、本実施のように遮光プレート３０を配置することにより、ノイズの心配をすることなく、安価なマイクロタイタープレート１０を使用することができる。
【００２７】
なお、遮光プレート３０の代わりに、図４の（Ａ）に示すように、各開口部３４へ集光レンズ３５を配置した遮光プレート３２を配設してもよい。このような場合には、遮光プレート３５とマイクロタイタープレート１０の下面との間に、多少の空間があっても、集光レンズ３５により励起光Ｌが広がることが防止され、励起光Ｌはマイクロタイタープレート１０のウェル１２が形成されている領域へほぼ照射される。
【００２８】
また、遮光プレート３０の代わりに、図４の（Ｂ）に示すように、各開口部３７へアクリルあるいはガラスからなる光導波ロッド３８を配置した遮光プレート３６を配設してもよい。励起光Ｌが光導波ロッド３８内を導光されるため、励起光Ｌが広がることが防止される。
【００２９】
また、遮光プレート３０の代わりに、図４の（Ｃ）に示すように、各開口部４０へ励起光Ｌの波長帯域の光を透過する分光フィルタ４１を配置した遮光プレート３９を配設してもよい。このような場合には、面状光源として白色光源を使用できる。また、例えば所望の波長の光を透過する分光フィルタが配置されてる遮光プレートを複数種類準備しておけば、遮光プレートを交換するのみで、容易に所望の波長帯域の励起光を使用することが可能となる。
【００３０】
次に、本発明の第２の実施形態である蛍光画像取得装置２を図５に示して説明する。図５は、蛍光画像取得装置２の概略構成図である。なお図５においては、図１中の要素と同等の要素には同番号を付してあり、それらについての説明は特に必要の無い限り省略する。
【００３１】
遮光プレート２２は、マイクロタイタープレート１０とＣＣＤ２６との間であって、マイクロタイタープレート１０に近接した位置に設けられている。また遮光プレート３０と同様に、遮光プレート２２も遮光材料から形成され、マイクロタイタープレート１０のウェル１２と個々に対応する位置に開口部２３が設けられている。なお、遮光プレート２２も、各開口部２３がマイクロタイタープレート１０のウェル１２と１対１で対応するように配置されている。
【００３２】
マイクロタイタープレート１０に励起光Ｌが照射され、ウェル１２から発せられた蛍光は、遮光フィルタ２２の開口部２３を通り、励起光カットフィルタ２４を透過し、レンズ２５で屈折され、ＣＣＤ２６に入射する。ＣＣＤ２６により蛍光が光電的に検出される。
【００３３】
本実施の形態の蛍光画像取得装置２では、第１の実施の形態における効果と同様の効果が得られる。さらにマイクロタイタープレート１０と、ＣＣＤ２６との間に、マイクロタイタープレート１０の各ウェルと対応する位置に開口部２３を有する遮光プレート２２が配設されることにより、マイクロタイタープレート１０と面状光源２０の間に配設された遮光プレート３０の開口部３１から入射した励起光Ｌが、ウェル１２以外の領域に漏れ、ウェル１２以外の領域から蛍光が発せられた場合であっても、このような蛍光は遮光プレート２２により、遮光されるので、さらにノイズの少ないウェル１２が形成されている領域の２次元画像を取得することができる。
【００３４】
次に、本発明の第３の実施形態である蛍光画像取得装置３を図６に示して説明する。図６は、蛍光画像取得装置３の概略構成図である。なお図６においては、図１中の要素と同等の要素には同番号を付してあり、それらについての説明は特に必要の無い限り省略する。
【００３５】
図６に示すように、本蛍光画像取得装置３には、マイクロタイタープレート５０ａおよびマイクロタイタープレート５０ｂが配設されている。マイクロタイタープレート５０ａおよびマイクロタイタープレート５０ｂは、本発明の支持体として機能するものであり、無色透明のプラスチック材料により形成されている。
【００３６】
マイクロタイタープレート５０ａは、被検査物質５１ａを収容する、多数のウェル５２ａが設けられている。各ウェル５２ａに収容されている被検査物質５１ａは、すべてが同一のものであるわけではなく、例えば所定の励起光を受けて蛍光を発する蛍光標識体により標識されているものと標識されていないものとがある。
【００３７】
また、マイクロタイタープレート５０ｂも、被検査物質５１ｂを収容する、多数のウェル５２ｂが設けられている。各ウェル５２ｂに収容されている被検査物質５１ｂは、すべてが同一のものであるわけではなく、例えば所定の励起光を受けて蛍光を発する蛍光標識体により標識されているものと標識されていないものとがある。なお、マイクロタイタープレート５０ａにおいて使用されている蛍光標識体と、マイクロタイタープレート５０ｂにおいて使用されている蛍光標識体とは種類が異なるものであり、したがって、これらの蛍光標識体を励起する励起光の波長も異なる。
【００３８】
蛍光画像取得装置３は、上記マイクロタイタープレート５０ａおよび５０ｂの下方からマイクロタイタープレート５０ａへおよびマイクロタイタープレート５０ｂへ向けて、白色励起光ＬＷを射出する面状光源５５と、マイクロタイタープレート５０ａおよび５０ｂの上方に配置されるＣＣＤ２６と、マイクロタイタープレート５０ａと面状光源５５との間であって、マイクロタイタープレート５０ａに近接した位置に設けられた遮光プレート６０ａと、マイクロタイタープレート５０ｂと面状光源５５との間であって、マイクロタイタープレート５０ｂに近接した位置に設けられた遮光プレート６０ｂと、マイクロタイタープレート５０ａとＣＣＤ２６との間であって、マイクロタイタープレート５０ａに近接した位置に設けられた遮光プレート６３ａと、マイクロタイタープレート５０ｂとＣＣＤ２６との間であって、マイクロタイタープレート５０ｂに近接した位置に設けられた遮光プレート６３ｂと、遮光プレート６３ａおよび遮光プレート６３ｂとＣＣＤ２６との間に設けられたレンズ２５と、ＣＣＤ２６に接続された画像処理部２７とを備えている。画像処理部２７には、表示部２８が接続されている。
【００３９】
遮光プレート６０ａは、遮光材料から形成され、マイクロタイタープレート５０ａのウェル５２ａと個々に対応する位置に開口部６１ａが設けられ、各開口部６１ａには、マイクロタイタープレート５０ａに使用されている蛍光標識体を励起可能な励起光Ｌａの波長帯域を透過させる分光フィルタ６２ａが配置されている。
【００４０】
また、遮光プレート６０ｂは、遮光材料から形成され、マイクロタイタープレート５０ｂのウェル５２ｂと個々に対応する位置に開口部６１ｂが設けられ、各開口部６１ｂには、マイクロタイタープレート５０ｂに使用されている蛍光標識体を励起可能な励起光Ｌｂの波長帯域を透過させる分光フィルタ６２ｂが配置されている。
【００４１】
遮光プレート６３ａは、遮光材料から形成され、マイクロタイタープレート５０ａのウェル５２ａと個々に対応する位置に開口部６４ａが設けられ、各開口部６４ａには、励起光Ｌａの波長帯域以下の光を透過させず、励起光Ｌａより長波長側の光のみを透過させる励起光カットフィルタ６５ａが配置されている。
【００４２】
遮光プレート６３ｂは、遮光材料から形成され、マイクロタイタープレート５０ｂのウェル５２ｂと個々に対応する位置に開口部６４ｂが設けられ、各開口部６４ｂには、励起光Ｌｂの波長帯域以下の光を透過させず、励起光Ｌｂより長波長側の光のみを透過させる励起光カットフィルタ６５ｂが配置されている。
【００４３】
なお、遮光プレート６０ａおよび遮光プレート６３ａは、各開口部がマイクロタイタープレート５０ａのウェル５２ａと対応して位置するように配置されている。また、遮光プレート６０ｂおよび遮光プレート６３ｂは、各開口部がマイクロタイタープレート５０ｂのウェル５２ｂと対応して位置するように配置されている。
【００４４】
次に本実施形態の蛍光画像取得装置の作用について説明する。マイクロタイタープレート５０ａおよび５０ｂが、図６に示すように、所定の位置にセットされる。面状光源５５から白色励起光ＬＷが射出され、マイクロタイタープレート５０aおよび５０ｂに下方から照射される。この際、マイクロタイタープレート５０ａと面状光源５５との間には遮光プレート６０ａが配設されているため、白色励起光ＬＷは遮光プレート６０ａの分光フィルタ６２ａを透過し、励起光Ｌａとなりマイクロタイタープレート５０ａの各ウェル５２ａが配置されている領域のみに照射される。また、マイクロタイタープレート５０ｂと面状光源５５との間には遮光プレート６０ｂが配設されているため、白色励起光ＬＷは遮光プレート６０ｂの分光フィルタ６２ｂを透過し、励起光Ｌｂとなりマイクロタイタープレート５０ｂの各ウェル５２ｂが配置されている領域のみに照射される。
【００４５】
励起光Ｌａは、マイクロタイタープレート５０ａの各ウェル５２ａに収容された被検査物質５１ａを照射するが、各被検査物質５１ａのうち、所定の前処理により蛍光標識体で標識された被検査物質５１ａは、照射された励起光Ｌａにより励起されて蛍光を発する。一方、蛍光体に標識されていない被検査物質５１ａは励起光Ｌａが照射されても蛍光を発することはない。
【００４６】
ウェル５２ａから発せられた蛍光は、遮光プレート６３ａの励起光カットフィルタ６５ａを透過し、レンズ２５で屈折され、ＣＣＤ２６に入射する。ＣＣＤ２６により蛍光が光電的に検出される。各ウェル５２ａからは、励起光Ｌａも出射するが、励起光カットフィルタ６５ａによりカットされるためＣＣＤ２６に入射することはない。
【００４７】
励起光Ｌｂは、マイクロタイタープレート５０ｂの各ウェル５２ｂに収容された被検査物質５１ｂを照射するが、各被検査物質５１ｂのうち、所定の前処理により蛍光標識体で標識された被検査物質５１ｂは、照射された励起光Ｌｂにより励起されて蛍光を発する。一方、蛍光体に標識されていない被検査物質５１ｂは励起光Ｌｂが照射されても蛍光を発することはない。
【００４８】
また、ウェル５２ｂから発せられた蛍光は、遮光プレート６３ｂの励起光カットフィルタ６５ｂを透過し、レンズ２５で屈折され、ＣＣＤ２６に入射する。ＣＣＤ２６により蛍光が光電的に検出される。各ウェル５２ｂからは、励起光Ｌｂも出射するが、励起光カットフィルタ６５ｂによりカットされるためＣＣＤ２６に入射することはない。
【００４９】
ＣＣＤ２６により撮像された２次元画像は、画像処理部２７により、画像処理が施され、表示部２８に表示される。全ウェルのうち蛍光が発せられたウェルに対応する像のみが、画像上に明るく表示される。また、画像処理部２７において、各ウェルから発せられた蛍光の光強度を数値化し、画像とともに表示してもよい。
【００５０】
本実施の形態の蛍光画像取得装置３では、第２の実施の形態における効果と同様の効果が得られる。さらに、２種類の蛍光標識体を使用したマイクロタイタープレートから同時に蛍光画像を取得することができ、装置の利便性を向上することができる。
【図面の簡単な説明】
【００５１】
【図１】本発明の第１の実施形態である蛍光画像取得装置の概略構成図
【図２】マイクロタイタープレートの説明図
【図３】遮光プレートの説明図
【図４】他の遮光プレートの説明図
【図５】本発明の第２の実施形態である蛍光画像取得装置の概略構成図
【図６】本発明の第３の実施形態である蛍光画像取得装置の概略構成図
【符号の説明】
【００５２】
１、２、３    蛍光画像取得装置
１０、５０ａ、５０ｂ    マイクロタイタープレート
１１、５１ａ、５１ｂ    被検査物資
１２、５２ａ、５２ｂ    ウェル
２０、５５    面状光源
２２、３０、６０ａ、６０ｂ、６３ａ、６３ｂ    遮光プレート
２３、３１、６１ａ、６１ｂ、６４ａ、６４ｂ    開口部
２４、６５ａ、６５ｂ    励起光カットフィルタ
２５    レンズ
２６    ＣＣＤ
２７    画像処理部
２８    表示装置
【図１】
2005274355.tif 000003
【図２】
2005274355.tif 000004
【図３】
2005274355.tif 000005
【図４】
2005274355.tif 000006
【図５】
2005274355.tif 000007
【図６】
2005274355.tif 000008